(57)【要約】【課題】温度変化による光色の変化を抑制した発光装置を提供する。【解決手段】ＬＥＤチップ２０を覆うように、蛍光体粒子４０ａを含有した樹脂からなる色変換層４０が形成され、色変換層４０を隙間なく覆うように、被覆層５０が形成されている。色変換層４０を形成する樹脂は、圧力を受けて収縮する樹脂であり、被覆層５０を形成する材料は、色変換層４０を形成する樹脂よりも硬度が高く、且つ温度上昇によって膨張する材料である。発光装置１の温度が上昇すると、蛍光体粒子４０ａの量子効率は低下する。一方、温度上昇によって色変換層４０は圧縮されるので、蛍光体粒子４０ａ間の間隔は狭くなり、ＬＥＤチップ２０から放射された光は蛍光体粒子４０ａに吸収されやすくなる。よって、蛍光体粒子４０ａの量子効率の低下が補償され、発光装置１から放射される光の色が変化しくにい。【選択図】図１
2011171585.tif 000002
【特許請求の範囲】
【請求項１】
実装基板と、前記実装基板に実装された発光素子と、前記発光素子から放射された光によって励起されて前記発光素子とは異なる波長の光を放射する蛍光体粒子を分散させた透光性樹脂からなり、前記発光素子の光取り出し面を覆うように前記実装基板に配設された色変換部と、透光性材料からなり前記色変換部を覆うように前記実装基板に配設された被覆部とを備え、
前記被覆部は、前記色変換部を構成する樹脂よりも体積弾性率が大きく且つ線膨張率が大きな材料からなり、前記色変換部の外側の面を隙間なく覆うよう構成され、
前記色変換部は、圧縮性を有する樹脂から形成され、前記被覆部が熱膨張するときに、この被覆部から内向きの圧力が印加されるよう構成されていることを特徴とする発光装置。
【請求項２】
前記色変換部を構成する樹脂は、ゲル状の樹脂であることを特徴とする請求項１記載の発光装置。
【請求項３】
前記色変換部を構成する樹脂及び前記被覆部を構成する材料は、シリコーン樹脂、エポキシ樹脂、変性エポキシ樹脂から選択されることを特徴とする請求項１または２記載の発光装置。
【請求項４】
前記被覆部を隙間なく覆うように、ガラスまたは透光性を有し前記被覆部を形成する材料よりも体積弾性率が大きな樹脂からなる外壁部を形成したことを特徴とする請求項１〜３のいずれか一項記載の発光装置。
【請求項５】
前記発光素子と前記色変換部との間に、前記発光素子を覆うように、ガラスまたは透光性を有し前記色変換部を形成する樹脂よりも体積弾性率が大きな樹脂からなる内壁部を形成したことを特徴とする請求項１〜４のいずれか一項記載の発光装置。
【請求項６】
前記発光素子と前記色変換部との間に、隙間を設けたことを特徴とする請求項１〜５のいずれか一項記載の発光装置。
【請求項７】
前記色変換部は多層構造であって、この色変換部の各層には、それぞれ異なる種類の蛍光体粒子が含有されていることを特徴とする請求項１〜６のいずれか一項記載の発光装置。
【請求項８】
前記色変換部の各層に含有される蛍光体粒子は、前記発光素子に近い層に含有された蛍光体粒子の方が、前記発光素子から遠い層に含有された蛍光体粒子よりも、波長の長い光を放射するものであることを特徴とする請求項７記載の発光装置。
【発明の詳細な説明】
【技術分野】
【０００１】
本発明は、発光装置に関するものである。
【背景技術】
【０００２】
従来から、基板に実装された発光素子と、発光素子から放射された光により励起されて発光素子とは異なる波長の光を放射する蛍光体粒子を含有した色変換層とを備えた発光装置がある。この発光装置では、発光素子から放射される光と蛍光体粒子から放射される光とを混合した光が得られるので、発光素子と蛍光体粒子とを適宜選択することで、所望の色の光を得ることができる。例えば特許文献１には、発光素子として青色光を放射する青色ＬＥＤ（発光ダイオード）チップを用い、蛍光体粒子として青色ＬＥＤチップから放射された光を吸収して黄色の光を放射する例えばＹＡＧ系の黄色蛍光体を用いた発光装置が開示されている。この発光装置では、青色と黄色とを混色させることにより白色の光を放射する。
【先行技術文献】
【特許文献】
【０００３】
【特許文献１】特開２００９−１１１２７３号公報
【発明の概要】
【発明が解決しようとする課題】
【０００４】
上記のような発光装置を使用すると、発光素子からの熱や波長変換に伴って生じる熱などによって、発光装置の温度は上昇する。一方、蛍光体粒子の量子効率（蛍光体粒子が吸収する光量子の数と、蛍光体粒子から放射される光量子の数との比）は、温度上昇によって低下する。また、色変換層は温度上昇によって膨張するので、蛍光体粒子の間隔が広くなり、発光素子から放射された光は蛍光体粒子に吸収されにくくなる。すなわち、このような発光装置では、温度上昇によって発光装置から放射される光の色が変化してしまい、色度がずれてしまうという課題があった。例えば、青色ＬＥＤチップと黄色蛍光体を用いた発光装置の場合には、発光装置の温度が高くなると黄色蛍光体の量子効率が低下し、また、黄色蛍光体の間隔が広くなる。よって、相対的に青色の光の比率が高くなり、色度が青色側にずれてしまうという課題があった。
【０００５】
本発明は、上記事情に鑑みて為されたものであり、温度変化による光色の変化を抑制した発光装置を提供することを目的とする。
【課題を解決するための手段】
【０００６】
上記の目的を達成するために、第１の発明の発光装置は、実装基板と、実装基板に実装された発光素子と、発光素子から放射された光によって励起されて発光素子とは異なる波長の光を放射する蛍光体粒子を分散させた透光性樹脂からなり、発光素子の光取り出し面を覆うように実装基板に配設された色変換部と、透光性材料からなり色変換部を覆うように実装基板に配設された被覆部とを備え、被覆部は、色変換部を構成する樹脂よりも体積弾性率が大きく且つ線膨張率が大きな材料からなり、色変換部の外側の面を隙間なく覆うよう構成され、色変換部は、圧縮性を有する樹脂から形成され、被覆部が熱膨張するときに、この被覆部から内向きの圧力が印加されるよう構成されていることを特徴とする。
【０００７】
第２の発明の発光装置は、第１の発明の発光装置において、色変換部を構成する樹脂は、ゲル状の樹脂であることを特徴とする。
【０００８】
第３の発明の発光装置は、第１または第２の発明の発光装置において、色変換部を構成する樹脂及び被覆部を構成する材料は、シリコーン樹脂、エポキシ樹脂、変性エポキシ樹脂から選択されることを特徴とする。
【０００９】
第４の発明の発光装置は、第１〜第３のいずれか一つの発明の発光装置において、被覆部を隙間なく覆うように、ガラスまたは透光性を有し被覆部を形成する材料よりも体積弾性率が大きな樹脂からなる外壁部を形成したことを特徴とする。
【００１０】
第５の発明の発光装置は、第１〜第４のいずれか一つの発明の発光装置において、発光素子と色変換部との間に、発光素子を覆うように、ガラスまたは透光性を有し色変換部を形成する樹脂よりも体積弾性率が大きな樹脂からなる内壁部を形成したことを特徴とする。
【００１１】
第６の発明の発光装置は、第１〜第５のいずれか一つの発明の発光装置において、発光素子と色変換部との間に、隙間を設けたことを特徴とする。
【００１２】
第７の発明の発光装置は、第１〜第６のいずれか一つの発明の発光装置において、色変換部は多層構造であって、この色変換部の各層には、それぞれ異なる種類の蛍光体粒子が含有されていることを特徴とする。
【００１３】
第８の発明の発光装置は、第７の発明の発光装置において、色変換部の各層に含有される蛍光体粒子は、発光素子に近い層に含有された蛍光体粒子の方が、発光素子から遠い層に含有された蛍光体粒子よりも、波長の長い光を放射するものであることを特徴とする。
【発明の効果】
【００１４】
本発明は、温度変化による光色の変化を抑制した発光装置を提供することができる。
【図面の簡単な説明】
【００１５】
【図１】本発明の実施形態を示す断面図である。
【図２】本発明の実施形態を示し、温度が上昇したときの状態を示す断面図である。
【図３】本発明の実施形態の第１の変更例を示す断面図である。
【図４】本発明の実施形態の第２の変更例を示す断面図である。
【発明を実施するための形態】
【００１６】
本発明の実施形態を、図１〜図４を参照して説明する。以下の説明では、図１における上下左右を上下左右の向きと規定し、手前に向かう向きを前向きと規定する。
【００１７】
本実施形態の発光装置１は、図１に示すように、実装基板１０と、実装基板１０の上面に実装されて、上面及び前後左右の側面から光を放射するＬＥＤチップ（発光素子）２０と、実装基板１０の上面に配設されて、ＬＥＤチップ２０の光取り出し面（上面及び前後左右の側面）を、ＬＥＤチップ２０との間に隙間が生じないように覆う色変換層（色変換部）３０と、実装基板１０の上面に配設されて、色変換層３０の上面及び前後左右の側面を、色変換層３０との間に隙間が生じないように覆う被覆層（被覆部）４０とを備える。
【００１８】
実装基板１０は、例えば銅やアルミニウムなどの放熱性の高い金属からなる金属板の上に、絶縁層を形成してなり、絶縁層の上面には、一対の金属製のリードパターン（図示せず）が形成されている。
【００１９】
ＬＥＤチップ２０には、金属製のカソード電極及びアノード電極（図示せず）が形成されており、この両電極は、それぞれボンディングワイヤ（図示せず）を介して、実装基板１０上に形成された一対のリードパターンと電気的に接続されている。
【００２０】
色変換層３０は、ＬＥＤチップ２０から放射された光を吸収してＬＥＤチップ２０とは異なる波長の光を放射する蛍光体粒子３０ａを分散させた透光性樹脂からなり、ＬＥＤチップ２０の光取り出し面を隙間なく覆っている。色変換層３０を形成する樹脂は、外部から圧力が印加されたときに圧縮される性質を有し、例えばゲル状の樹脂やゴム弾性を有する樹脂が用いられる。この材料としては、例えばエポキシ樹脂やシリコーン樹脂、変性エポキシ樹脂などが用いられる。
【００２１】
被覆層４０は、透光性材料から色変換層３０を覆うよう形成され、色変換層３０の外側の面（上面及び前後左右の面）で色変換層３０に隙間なく接している。つまり、上述の色変換層３０は、実装基板１０とＬＥＤチップ２０と被覆層４０とで、上下左右全ての面が隙間なく囲まれている。この被覆層４０を形成する透光性材料は、色変換層３０を形成する透光性樹脂よりも体積弾性率が大きな材料であって、且つ線膨張率が大きな材料が用いられる。この材料としては、例えばシリコーン樹脂やエポキシ樹脂、変性エポキシ樹脂などが用いられる。
【００２２】
以上の構成からなる本実施形態の発光装置１では、ＬＥＤチップ２０から放射された光の一部が、色変換層３０に含有された蛍光体粒子３０ａによって、異なる色の光に変換される。よって、発光装置１からは、ＬＥＤチップ２０からの光と蛍光体粒子３０ａからの光とが混合された色の光が放射される。例えば、ＬＥＤチップ２０として、波長が４５０ｎｍ程度の青色の光を放射する青色ＬＥＤチップを用い、蛍光体粒子３０ａとして、青色の光を吸収して黄色の光を放射する例えばＹＡＧ系の黄色蛍光体を用いれば、白色の光を得ることができる。なお、蛍光体粒子３０ａとして赤色蛍光体と緑色蛍光体とを用いても、白色の光を得ることができる。
【００２３】
ここで、本実施形態の発光装置１を使用すると、発光装置１からの熱や波長変換に伴って生じる熱によって、色変換層３０及び被覆層４０の温度が上昇する。これにより、色変換層３０に含有された蛍光体粒子３０ａの量子効率は、低下する。
【００２４】
一方、本実施形態の発光装置１を使用すると、被覆層４０は温度上昇によって膨張（体積が増加）し、実装基板１０、ＬＥＤチップ２０、及び被覆層４０に囲まれた色変換層３０は、被覆層４０からの内向きの圧力（図２の白抜き矢印）を受けて圧縮される。よって、図２に示すように、色変換層３０に含有された蛍光体粒子３０ａの粒子間隔が狭くなり、ＬＥＤチップ２０から放射された光は蛍光体粒子３０ａに吸収されやすくなる。従って、色変換層３０全体で見ると、変換効率（ＬＥＤチップ２０から放射された光のうちで、色変換層３０によって波長が変換される光の割合）は上昇することになる。
【００２５】
つまり、本実施形態の発光装置１では、温度上昇によって蛍光体粒子３０ａの量子効率が低下する一方、色変換層３０が圧縮されることによって色変換層３０全体で見たときの変換効率は上昇する。よって、予め蛍光体粒子３０ａの分布や色変換層３０の厚さを適宜設定しておくことで、発光装置１の温度によらずに、ほぼ一定の色の光を得ることができる。なお、蛍光体粒子３０ａの分布や色変換層３０の厚さなどの最適値は、使用する蛍光体粒子３０ａの種類や発光装置１からの発熱量などによって異なるので、蛍光体粒子３０ａの種類などの各種の条件に応じて、適切に設定すればよい。
【００２６】
ここで、色変換層３０を形成する透光性樹脂がゲル状の場合には、色変換層３０は変形しやすい。よって、この場合には、色変換層３０が圧縮されるときに割れなどが起こりにくいという効果がある。
【００２７】
次に、本実施形態の第１の変更例を図３に示す。この変更例では、実装基板１０、ＬＥＤチップ２０、被覆層４０の構成は上記実施形態と同様であるので、説明は省略する。
【００２８】
この変更例では、色変換層３０を、ＬＥＤチップ２０の光取り出し面方向に積層した複数の層（第１の色変換層３１と第２の色変換層３２）で構成している。そして、ＬＥＤチップ２０に近い側の第１の色変換層３１に、相対的に波長の長い光を放射する長波長蛍光体粒子３１ａを含有させ、ＬＥＤチップ２０から遠い側の第２の色変換層３２に、長波長蛍光体粒子３１ａよりも短い波長の光を放射する短波長蛍光体粒子３２ａを含有させている。例えば、ＬＥＤチップ２０として青色の光を放射する青色ＬＥＤチップを用い、長波長蛍光体粒子３１ａとして、青色の光を吸収して赤色の光を放射する赤色蛍光体を用い、短波長蛍光体粒子３２ａとして、青色の光を吸収して緑色の光を放射する緑色蛍光体を用いれば、白色の光を得ることができる。
【００２９】
ここで、この変更例では、長波長蛍光体粒子３１ａと短波長蛍光体粒子３２ａとを異なる層に含有させている。これにより、各層を構成する樹脂材料の硬さや膨張率を、各層に含有された蛍光体粒子３１ａ，３２ａの特性に応じて選択することができる。つまり、各層に含有された蛍光体粒子３１ａ，３２ａが、温度上昇に応じてどの程度量子効率が低下するのかを考慮して、各層を構成する樹脂材料の種類などを調整することができる。よって、複数種類の蛍光体粒子を用いる場合であっても、装置の温度上昇によらずに所望の色の光を得ることができる。
【００３０】
また、この変更例では、ＬＥＤチップ２０に近い側の第１の色変換層３１に長波長蛍光体粒子３１ａを含有させ、ＬＥＤチップ２０から遠い側の第２の色変換層３２に短波長蛍光体粒子３２ａを含有させている。蛍光体粒子は、一般に自身の発光波長よりも短い波長の光を吸収する。よって、この変更例のような構成とすることで、短波長蛍光体粒子３２ａから放射された光が長波長蛍光体粒子３１ａに吸収されるおそれが小さくなっている。すなわち、ＬＥＤチップ２０から放射された光が複数の蛍光体３１ａ，３２ａによって複数回吸収されるおそれが小さくなるので、発光装置１の発光効率を向上させることができる。
【００３１】
なお、色変換層３０の層の数は２層に限らず、３層以上としてもよい。
【００３２】
本実施形態の第２の変更例を、図４に示す。この変更例では、ＬＥＤチップ２０と色変換層３０との間に内壁層（内壁部）５０を設け、被覆層４０の外側に外壁層（外壁部）６０を設けている。また、ＬＥＤチップ２０と内壁層５０との間に、隙間７０を形成している。なお、実装基板１０、ＬＥＤチップ２０、色変換層３０、被覆層４０の構成は上記実施形態と同様であるので、説明は省略する。
【００３３】
内壁層５０は、例えば透明ガラス材料などから、ＬＥＤチップ２０の外側（光取り出し面側）を覆い、色変換層３０の内側の面に隙間なく接するよう形成されている。この内壁層５０を設けることで、色変換層３０や被覆層４０が熱膨張するときの圧力がＬＥＤチップ２０に伝わりにくくなっており、例えばＬＥＤチップ２０が上記の圧力を受けて変形するなどのおそれが小さくなっている。なお、この内壁層５０を形成する透光性材料は、色変換層３０を形成する透光性樹脂よりも体積弾性率が大きな材料であればよく、ガラスに限らず体積弾性率の大きな透光性樹脂などであってもよい。
【００３４】
外壁層６０は、例えば透明ガラス材料などから、被覆層４０の外側を隙間なく覆うように形成されている。この外壁層６０を設けることで、被覆層４０は外側に膨張しにくくなっている。よって、被覆層４０が熱膨張するときの内向きの圧力が色変換層３０に効果的に伝わるので、色変換層３０が圧縮されやすくなっている。なお、この外壁層６０を形成する透光性材料は、被覆層４０を形成する透光性材料よりも体積弾性率が大きな材料であればよく、ガラスに限らず体積弾性率の大きな透光性樹脂などであってもよい。
【００３５】
ＬＥＤチップ２０と内壁層５０との間には、隙間７０が形成されている。これにより、色変換層３０や被覆層４０が熱膨張するときの圧力がＬＥＤチップ２０に伝わりにくくなっている。なお、ＬＥＤチップ２０と内壁層５０との間に隙間７０を形成する代わりに、内壁層５０と色変換層３０との間に隙間を形成しても、被覆層４０などからの圧力がＬＥＤチップ２０に伝わるのを防ぐ効果がある。
【００３６】
この第２の変更例では、図１に示す実施形態に内壁層５０と外壁層６０と隙間７０とをすべて追加した構成となっているが、内壁層５０だけを追加してもよいし、外壁層６０だけを追加してもよいし、隙間７０だけを、ＬＥＤチップ２０と色変換層３０との間に追加してもよい。また、第１の変更例のように、色変換層３０を複数の層から形成してもよい。
【符号の説明】
【００３７】
１０  実装基板
２０  ＬＥＤチップ
３０  色変換層
４０  被覆層
【図１】
2011171585.tif 000003
【図２】
2011171585.tif 000004
【図３】
2011171585.tif 000005
【図４】
2011171585.tif 000006